(57)【要約】【課題】ガスメータにおいて、磁性体の塵挨を除去し流量計測部への塵挨の流入を防止すること。【解決手段】筐体２と、筐体２に設けられた流入部３、および流出部４と、筐体２内に配置され、入口部１１と出口部１２とを有する流量計測部１０と、筐体２内部に配置した磁石１４とよりなり、流入部３から筐体２内を通過して流量計測部１０に流入する経路に、磁石１４を配置することにより、ダストに含まれる磁性体を吸着するようにしたものである。【選択図】図１
2013044533.tif 000002
【特許請求の範囲】
【請求項１】
筐体と、
前記筐体に設けられた流入部、および流出部と、
前記筐体内に配置され、入口部と出口部とを有する流量計測部と、
前記筐体内部に配置した磁石と、よりなり、
前記流量計測部は、入口部を前記筐体内に開口するとともに、前記流量計測部の出口部を前記流出部に接続し、前記磁石は前記流入部から前記入口部に至る流れにさらされる位置に配置したガスメータ。
【発明の詳細な説明】
【技術分野】
【０００１】
本発明は、流量計測部への塵挨流入を防止するガスメータに関するものである。
【背景技術】
【０００２】
従来、この種のガスメータは、流量計測部より上流側に設けられた遮断弁に流入する通路にダスト受け部を設けている（例えば、特許文献１参照）。
【０００３】
図３は、特許文献１に記載された従来のガスメータを示すものである。図３に示すように、ガスメータ１０１は、遮断弁１０２と、流量計測部１０３とを有しており、ガスが流入する下向き通路１０４の下部に設けられたダスト受け部１０５において、ダストを取り除く構成となっている。
【０００４】
また、このダスト受け部１０５に吸着材（図示せず）を配設することにより、より確実にダストを取り除くことができる構成も示されている。
【先行技術文献】
【特許文献】
【０００５】
【特許文献１】特開２００１−２９６１５４号公報
【発明の概要】
【発明が解決しようとする課題】
【０００６】
しかしながら、前記従来の構成では、ダストの除去は、単に重力効果によるダストの落下に依存しているだけなので、比較的重いものしか取り除くことができず、捕集効率が良くないという課題を有していた。
【０００７】
本発明は、前記従来の課題を解決するもので、ダストの軽重に関わらず磁性を帯びた塵埃を確実に捕集することにより流量計測部への塵挨の流入を防止するようにしたガスメータを提供するものである。
【課題を解決するための手段】
【０００８】
前記従来の課題を解決するために、本発明のガスメータは、筐体と、前記筐体に設けられた流入部、および流出部と、前記筐体内に配置され、入口部と出口部とを有する流量計測部と、前記筐体内部に配置した磁石とよりなり、前記流量計測部は入口部を前記筐体内に開口するとともに、前記流量計測部の出口部を前記流出部に接続し、前記磁石は前記流入部から前記入口部に至る流れにさらされる位置に配置したものである。
【０００９】
これによって、流入部より流入したガスの流れを、いったんガスメータの筐体内の広い空間に開放して流速を遅くして塵挨の落下を容易にするとともに、さらに流量計測部に入る前に、流れにさらされる位置に配置した磁石により、ダストに含まれる磁性体を吸着することができ、流量計測部への塵挨流入を防止することができるものである。
【発明の効果】
【００１０】
本発明のガスメータによると、流速の低下と磁石の配置により流量計測部への塵挨流入を防止することができる。
【図面の簡単な説明】
【００１１】
【図１】本発明の実施の形態１におけるガスメータの垂直断面図
【図２】本発明の実施の形態２におけるガスメータの垂直断面図
【図３】従来のガスメータの垂直断面図
【発明を実施するための形態】
【００１２】
第１の発明は、筐体と、前記筐体に設けられた流入部、および流出部と、前記筐体内に配置され、入口部と出口部とを有する流量計測部と、前記筐体内部に配置した磁石とよりなり、前記流量計測部は入口部を前記筐体内に開口するとともに、前記流量計測部の出口部を前記流出部に接続し、前記磁石は前記流入部から前記入口部に至る流れにさらされる位置に配置することにより、流入部より流入したガスの流れを、いったんガスメータの筐体内の広い空間に開放して流速を遅くして塵挨の落下を容易にするとともに、さらに流量計測部に入る前に、流れにさらされる位置に配置した磁石により、ダストに含まれる磁性体を吸着することができ、流量計測部への塵挨流入を防止することができる。
【００１３】
以下、本発明の実施の形態について、図面を参照しながら説明する。なお、この実施の形態によって本発明が限定されるものではない。
【００１４】
（実施の形態１）
実施の形態１ついて、図１を参照しながら説明する。図１は、本発明の第１の実施の形態におけるガスメータの垂直断面図を示すものである。
【００１５】
図１において１はガスメータである。ガスメータ１の筐体２は、流入部３と流出部４を有している。流入部３には流入パイプ５、流出部４には流出パイプ６が接続されている。
【００１６】
筐体２の内部において、流入部３には遮断弁７が接続されている。この遮断弁７の入口端８は流入部３に接続され、出口端９は筐体２の内部に開放されている。
【００１７】
また、筐体２の内部には、流量計測部１０が配置されている。流量計測部１０は入口部１１と出口部１２を有しており、入口部１１は筐体２の内部に開放されており、出口部１２は接続部１３により流出部４に接続されている。
【００１８】
流量計測部１０は、例えば超音波で流量を計測する方式のものや、フローセンサで流量を計測するものがある。また、超音波で計測するもので、その流路断面を矩形に形成し、その流路内部を仕切り板で複数に分割するものも含まれる。
【００１９】
筐体２の内部には磁石１４が配置されている。磁石１４は、流入部３より遮断弁７に流入した流れが遮断弁７の出口端９より筐体２に流入する流れＰ１となり、その後、流れ状態Ｐ２を経た後、流れＰ３として流量計測部１０の入口部１１に流入するに至る流れの経路にさらされる位置に配置されている。
【００２０】
以上のように構成されたガスメータについて、以下、その動作、作用を説明する。
【００２１】
まず、流入パイプ５より流入したガスは、流入部３から遮断弁７の入口端８より、入り、その後、出口端９より筐体２の内部空間に放出される。
【００２２】
遮断弁７の出口端９より放出された流れＰ１は、Ｐ２、Ｐ３のような流れとなって流量計測部１０の入口部１１より、流量計測部１０に流入する。
【００２３】
このとき、上記Ｐ１→Ｐ２→Ｐ３の流れにさらされる状態で、磁石１４が配置されているため、ダストに含まれている磁性体、例えば、鉄粉、酸化鉄等は矢印Ｑに示すように磁石１４に吸引され、流量計測部１０に流入する前に除去されるものである。
【００２４】
なお、本実施の形態では、流れＰ１はいったん筐体２内の広い空間に放出されるため、流速が低くなり、磁石１４による捕集効率をいっそう高めることができるものである。
【００２５】
（実施の形態２）
実施の形態２について、図２を用いて説明する。図２は、本発明の第２の実施の形態におけるガスメータの垂直断面図を示すものである。
【００２６】
実施の形態２において、実施の形態１と異なるところは、磁石が筐体２の内面１５全体に形成されている点のみである。その他の部分は実施の形態１と同じゆえ、同じ番号で示している。
【００２７】
この実施の形態の場合、流れは矢印Ｑ１，Ｑ２，Ｑ３の経路をたどる。その際、筐体２の内面１５が磁石であるため、Ｑ１、Ｑ２、Ｑ３のように、いたるところで、塵埃に含まれる磁性体が吸着される。
【００２８】
以上のように、本実施の形態においては、磁性体を吸着する機会が格段に増加するため、塵埃の除去効率を一層、高めることができるものである。
【００２９】
なお、本実施の形態では、磁石を内面１５全域に形成する事例を示したが、流れに沿った部分のみとするようにしてもよい。
【００３０】
また、筐体２が比較的薄く、内面１５に形成された磁場が外部にもおよぶ場合には外部の不要な磁性体吸着等、外部への磁場形成による悪影響を弱めるため、筐体２の外面に樹脂等の非磁性体コーティングを施すこともできるものである。
【産業上の利用可能性】
【００３１】
以上のように、本発明にかかるガスメータは、ダストに含まれる磁性体を除去でき、流量計測部への塵挨流入を防止することが可能となるので、家庭用から業務用に至る大型のガスメータまで幅広い用途に適用できる。
【符号の説明】
【００３２】
１  ガスメータ
２  筐体
３  流入部
４  流出部
１０  流量計測部
１１  入口部
１２  出口部
１４  磁石
【図１】
2013044533.tif 000003
【図２】
2013044533.tif 000004
【図３】
2013044533.tif 000005